(57)【特許請求の範囲】
【請求項１】
帳票を読み取る読取部と、
振込に関する用語が定義された定義情報を参照し、読み取った前記帳票から生成した振込人を示す情報と振込先口座情報と振込依頼日と前記帳票に表記された情報とを含む画像情報に基づき、年間を通じて定期的に特定口座に対する振込を識別するための用語が含まれる帳票を帳票種別と決定し、金融取引の実績である振込人を示す情報と振込先口座情報と振込金額と取引日とを記録した取引実績情報から前記画像情報に含まれる前記振込人を示す情報と前記振込先口座情報と前記振込依頼日から前一年の期間とを含む取引実績情報を取得し、前記取引実績情報に含まれる前記帳票種別に関する取引実績数が最多の振込金額の桁数と前記画像情報に含まれる振込金額の桁数とを比較し、前記比較した結果を表示部に表示させる制御部と、
を有する帳票読取装置。
【請求項２】
帳票を読み取る読取部と、
振込に関する用語が定義された定義情報を参照し、読み取った前記帳票から生成した振込人を示す情報と振込先口座情報と振込依頼日と前記帳票に表記された情報とを含む画像情報に基づき、時期に依存する振込金額について特定口座に対する振込を識別するための用語が含まれている帳票を帳票種別と決定し、金融取引の実績である振込人を示す情報と振込先口座情報と振込金額と取引日とを記録した取引実績情報から前記画像情報に含まれる前記振込人を示す情報と前記振込先口座情報と前記振込依頼日の前年同月の期間とを含む取引実績情報を取得し、前記取引実績情報に含まれる前記帳票種別に関する取引実績数が最多の振込金額の桁数と前記画像情報に含まれる振込金額の桁数とを比較し、前記比較した結果を表示部に表示させる制御部と、
を有する帳票読取装置。
【請求項３】
読取部と表示部と制御部とを備える帳票読取装置における帳票読取方法であって、
前記読取部は、
帳票を読み取り、
前記制御部は、
振込に関する用語が定義された定義情報を参照し、読み取った前記帳票から生成した振込人を示す情報と振込先口座情報と振込依頼日と前記帳票に表記された情報とを含む画像情報に基づき、年間を通じて定期的に特定口座に対する振込を識別するための用語が含まれる帳票を帳票種別と決定し、金融取引の実績である振込人を示す情報と振込先口座情報と振込金額と取引日とを記録した取引実績情報から前記画像情報に含まれる前記振込人を示す情報と前記振込先口座情報と前記振込依頼日から前一年の期間とを含む取引実績情報を取得し、前記取引実績情報に含まれる前記帳票種別に関する取引実績数が最多の振込金額の桁数と前記画像情報に含まれる振込金額の桁数とを比較し、前記比較した結果を表示部に表示させる、
帳票読取方法。
【請求項４】
読取部と表示部と制御部とを備える帳票読取装置における帳票読取方法であって、
前記読取部は、
帳票を読み取り、
前記制御部は、
振込に関する用語が定義された定義情報を参照し、読み取った前記帳票から生成した振込人を示す情報と振込先口座情報と振込依頼日と前記帳票に表記された情報とを含む画像情報に基づき、時期に依存する振込金額について特定口座に対する振込を識別するための用語が含まれる帳票を帳票種別と決定し、金融取引の実績である振込人を示す情報と振込先口座情報と振込金額と取引日とを記録した取引実績情報から前記画像情報に含まれる前記振込人を示す情報と前記振込先口座情報と前記振込依頼日の前年同月の期間とを含む取引実績情報を取得し、前記取引実績情報に含まれる前記帳票種別に関する取引実績数が最多の振込金額の桁数と前記画像情報に含まれる振込金額の桁数とを比較し、前記比較した結果を表示部に表示させる、
帳票読取方法。
【請求項５】
帳票読取装置とサーバ装置とを含む帳票読取システムであって、
前記サーバ装置は、
前記帳票読取装置から金融取引の実績である振込人を示す情報と振込先口座情報と振込金額と取引日とを記録した取引実績情報の送信要求を受ける受信部と、
前記帳票読取装置に前記取引実績情報を送信する送信部とを備え、
前記帳票読取装置は、
帳票を読み取る読取部と、
振込に関する用語が定義された定義情報を参照し、読み取った前記帳票から生成した振込人を示す情報と振込先口座情報と振込依頼日と前記帳票に表記された情報とを含む画像情報に基づき、年間を通じて定期的に特定口座に対する振込を識別するための用語が含まれる帳票を帳票種別と決定し、前記サーバ装置に前記取引実績情報の送信要求を送信し、前記サーバ装置から前記取引実績情報を受信し、前記取引実績情報から前記画像情報に含まれる前記振込人を示す情報と前記振込先口座情報と前記振込依頼日から前一年の期間とを含む取引実績情報を取得し、前記取引実績情報に含まれる前記帳票種別に関する取引実績数が最多の振込金額の桁数と、前記画像情報に含まれる振込金額の桁数とを比較し、前記比較した結果を表示部に表示させる制御部とを備える、
帳票読取システム。
【請求項６】
帳票読取装置とサーバ装置とを含む帳票読取システムであって、
前記サーバ装置は、
前記帳票読取装置から金融取引の実績である振込人を示す情報と振込先口座情報と振込金額と取引日とを記録した取引実績情報の送信要求を受ける受信部と、
前記帳票読取装置に前記取引実績情報を送信する送信部とを備え、
前記帳票読取装置は、
帳票を読み取る読取部と、
振込に関する用語が定義された定義情報を参照し、読み取った前記帳票から生成した振込人を示す情報と振込先口座情報と振込依頼日と前記帳票に表記された情報とを含む画像情報に基づき、時期に依存する振込金額について特定口座に対する振込を識別するための用語が含まれる帳票を帳票種別と決定し、前記サーバ装置に前記取引実績情報の送信要求を送信し、前記サーバ装置から前記取引実績情報を受信し、前記取引実績情報から前記画像情報に含まれる前記振込人を示す情報と前記振込先口座情報と前記振込依頼日の前年同月の期間とを含む取引実績情報を取得し、前記取引実績情報に含まれる前記帳票種別に関する取引実績数が最多の振込金額の桁数と、前記画像情報に含まれる振込金額の桁数とを比較し、前記比較した結果を表示部に表示させる制御部とを備える、
帳票読取システム。
【発明の詳細な説明】
【技術分野】
【０００１】
本発明は、帳票読取装置、帳票読取方法および帳票読取システムに関する。
【背景技術】
【０００２】
金融機関等では、顧客が記入した帳票や伝票を画像イメージとして帳票読取装置に取り込み、文字認識して帳票の処理を行う。オペレータは、帳票をイメージスキャナやＯＣＲ（Optical Character Recognition）等で読み取ることで、手入力を行うよりも早く帳票に記載された内容を帳票読取装置に取り込むことができる。
【０００３】
なお、伝票に記入された金額をオペレータが入力する作業を支援する技術として、伝票に記入された金額の最上位桁の単位を特定し表示する装置が知られている。また、取引希望者から複数の帳票類を混在して受け付けた場合に、帳票類の種別をチェックし取引希望者の過去の取引パターンと比較する方法等が知られている。
【先行技術文献】
【特許文献】
【０００４】
【特許文献１】特開２０１０−３１５５号公報
【特許文献２】特開２０１４−１８２６９３号公報
【特許文献３】特開２０１１−３４５２４号公報
【発明の概要】
【発明が解決しようとする課題】
【０００５】
従来技術では、帳票に記載された金額の単位を表示することや、帳票類をチェックし取引希望者自身の過去の取引パターンと比較することが行われていたが、オペレータは読み取った帳票のチェックを目視にて行う場合があり、オペレータの負担となっている。
【０００６】
一側面では、本発明は、帳票のチェックに要するオペレータの負担をさらに軽減できる帳票読取装置、帳票読取方法および帳票読取システムを提供することを目的とする。
【課題を解決するための手段】
【０００７】
上記目的を達成するために、以下に示すような帳票読取装置を提供する。帳票読取装置は、読取部と、制御部と、表示部とを備える。読取部は、帳票を読み取る。制御部は、振込に関する用語が定義された定義情報を参照し、読み取った帳票から生成した振込人を示す情報と振込先口座情報と振込依頼日と帳票に表記された情報とを含む画像情報に基づき、年間を通じて定期的に特定口座に対する振込を識別するための用語が含まれる帳票を帳票種別と決定し、金融取引の実績である振込人を示す情報と振込先口座情報と振込金額と取引日とを記録した取引実績情報から画像情報に含まれる振込人を示す情報と振込先口座情報と振込依頼日から前一年の期間とを含む取引実績情報を取得し、取引実績情報に含まれる帳票種別に関する取引実績数が最多の振込金額の桁数と画像情報に含まれる振込金額の桁数とを比較し、比較した結果を表示部に表示させる。また、制御部は、振込に関する用語が定義された定義情報を参照し、読み取った帳票から生成した振込人を示す情報と振込先口座情報と振込依頼日と帳票に表記された情報とを含む画像情報に基づき、時期に依存する振込金額について特定口座に対する振込を識別するための用語が含まれる帳票を帳票種別と決定し、金融取引の実績である振込人を示す情報と振込先口座情報と振込金額と取引日とを記録した取引実績情報から画像情報に含まれる振込人を示す情報と振込先口座情報と振込依頼日の前年同月の期間とを含む取引実績情報を取得し、取引実績情報に含まれる帳票種別に関する取引実績数が最多の振込金額の桁数と画像情報に含まれる振込金額の桁数とを比較し、比較した結果を表示部に表示させる。
【発明の効果】
【０００８】
一態様によれば、帳票のチェックに要するオペレータの負担をさらに軽減できる帳票読取装置、帳票読取方法および帳票読取システムを提供できる。
【図面の簡単な説明】
【０００９】
【図１】第１の実施形態の帳票読取装置の一例を示す図である。
【図２】第２の実施形態の帳票読取システムの一例を示す図である。
【図３】第２の実施形態の帳票読取装置のハードウェア構成の一例を示す図である。
【図４】第２の実施形態の帳票の一例を示す図である。
【図５】第２の実施形態の取引実績テーブルの一例を示す図である。
【図６】第２の実施形態の帳票見出しテーブルの一例を示す図である。
【図７】第２の実施形態の帳票読取処理のフローチャートを示す図である。
【図８】第２の実施形態の帳票桁数突合結果画面の一例を示す図である。
【図９】第２の実施形態の取引実績突合処理のフローチャートを示す図である。
【図１０】第２の実施形態の第１突合処理のフローチャートを示す図である。
【図１１】第２の実施形態の第２突合処理のフローチャートを示す図である。
【図１２】第２の実施形態の第３突合処理のフローチャートを示す図である。
【図１３】第２の実施形態のサーバ処理のフローチャートを示す図である。
【発明を実施するための形態】
【００１０】
以下、図面を参照して実施の形態を詳細に説明する。
［第１の実施形態］
まず、第１の実施形態の帳票読取装置について図１を用いて説明する。図１は、第１の実施形態の帳票読取装置の一例を示す図である。
【００１１】
帳票読取装置１は、読取部２と、制御部３と、表示部４とを備える。帳票読取装置１は、帳票の読み取りを行う装置であり、たとえば、イメージスキャナやカメラ等の帳票を読み取る機器と接続した計算機等である。
【００１２】
読取部２は、イメージスキャナ等の画像を読み取るユニットであり、帳票を読み取る。帳票の表記内容には、帳票に印刷された文字、帳票に記入された文字、振込依頼日（年月日）、振込先口座情報（振込先口座名、振込先口座番号等）、振込人を示す情報（振込依頼人名、顧客コード、振込整理番号等）等を含む。
【００１３】
制御部３は、読み取った帳票から生成した画像情報に基づき帳票種別を決定し、金融取引の実績を記録した取引実績情報に含まれる帳票種別に関する取引実績数が最多の振込金額の桁数と、画像情報に含まれる振込金額の桁数とを比較し、比較した結果を表示部４に表示する。
【００１４】
表示部４は、帳票の読み取りを促す指示や帳票の画像情報や帳票に記入された振込金額のチェック結果などを表示出力できる。表示部４は、たとえば、表示出力による指示で表示できるディスプレイ等がある。
【００１５】
ここで、制御部３の処理について、より具体的に説明する。制御部３は、帳票を読み取り、画像情報を生成する。制御部３は、生成した画像情報に基づき帳票種別を決定する。なお、制御部３は、振込に関する用語が定義された定義情報を参照し、画像情報から帳票種別を決定する。制御部３は、帳票種別に応じて、金融取引の実績を含む取引実績情報等をサーバ装置に要求する。サーバ装置は、取引実績情報を格納したデータベース等とアクセス可能であり、要求に応じて取引実績情報や取引実績情報から特定した振込金額の桁数を帳票読取装置１へ送信する。
【００１６】
たとえば、制御部３は、サーバ装置に、振込先口座番号「１２３」を含む取引実績情報を要求する。制御部３は、取引実績情報のうち振込先口座番号「１２３」が含まれる取引実績情報を受信する。また、制御部３は、取引実績情報から特定した取引実績数が最多の振込金額の桁数を受信する。たとえば、振込先口座番号「１２３」についての取引実績情報の内訳が、振込金額「１０００００円」が１件であり、振込金額「５００００円」が１０件であるとする。この場合、サーバ装置は、取引実績数が最多の振込金額の桁数を「５桁」と特定し、振込金額の桁数を制御部３へ送信する。なお、取引実績数が最多の振込金額を特定する処理は、サーバ装置で実行してもよいし、取引実績情報を取得した制御部３で実行してもよい。
【００１７】
制御部３は、取引実績情報に基づき特定した桁数と表記内容に含まれる振込金額の桁数とを比較した結果を表示部４に表示させる。たとえば、制御部３が、取引実績情報に基づいて特定された桁数が「５桁」であり、帳票の表記内容に含まれる振込金額「５０００円」の桁数が「４桁」である場合、制御部３は、「桁数比較結果、桁数が異なります。確認して下さい。」という表示を表示部４に表示させる。
【００１８】
帳票読取装置１が帳票を読み取る場合、帳票の状態（帳票のノイズ、帳票の折れ曲がり、記入文字の誤字脱字等）により、実際に記入された振込金額と異なる金額が帳票の表記内容として読み取られる（誤認識）場合がある。また、誤認識した内容を修正するため、オペレータが帳票画像データと文字認識した文字とを目視チェックし金額を手入力する場合、桁数が多い場合等についてはオペレータが見誤る事が多い。
【００１９】
帳票読取装置１は、帳票の表記内容に基づいて取引実績情報を検索する要求をし、取引実績情報から得られた振込金額の桁数を取得し、取得した桁数と帳票から読み取った振込金額の桁数とをチェックした結果を表示部４に表示する。これにより、帳票読取装置１は、取引実績情報に記録がある取引について、取引実績情報と帳票の表記内容と比較することで帳票の誤認識をチェックし表示することができ、オペレータの労力を軽減することができる。また、オペレータの帳票チェックの誤りや見逃しを軽減することもできる。
【００２０】
このようにして、帳票読取装置１は、帳票のチェックに要するオペレータの負担を軽減できる。
［第２の実施形態］
次に、第２の実施形態として、帳票読取装置を用いて帳票の情報を処理する帳票読取システムについて図２を用いて説明する。図２は、第２の実施形態の帳票読取システムの一例を示す図である。
【００２１】
金融機関等における帳票読取システム３００は、図２に示すように、複数の帳票読取装置１００（図２ではその内の１台を図示）が備えられ、各帳票読取装置１００はサーバ装置２００とネットワーク１０を介して接続されている。
【００２２】
帳票読取装置１００は、金融機関等に設置される情報処理装置である。帳票読取装置１００は、帳票を撮像して取得された帳票の画像情報（以下、帳票画像とも記載する）に対して文字認識処理を行い、顧客が帳票に記入した情報や、帳票に印字されている情報などを取得してサーバ装置２００に送信する。
【００２３】
帳票読取装置１００が読み取る帳票の種別は、取引に応じて複数の種類が存在する。たとえば、入金、出金などの取引に応じた金融機関特有の帳票がある。また、税金の振込先である公的機関特有の帳票や、入学金や授業料など振込先が学校名である帳票や、電気代金やガス代金や水道代金などの料金振込専用の帳票などがある。帳票読取装置１００は、帳票を読み取り、これらの帳票の種別を認識する。
【００２４】
サーバ装置２００は、顧客の口座情報を管理する情報処理装置である。サーバ装置２００は、帳票読取装置１００が読み取った帳票の情報を受信して、取引の処理を実行する。たとえば、サーバ装置２００は、現金による入出金、顧客の口座間における振替などの取引の処理を実行する。
【００２５】
ここで、金融機関等においてオペレータが帳票読取装置１００で操作を行う際の動作について説明する。オペレータは、顧客から帳票を受け取り、帳票読取装置１００を用いて帳票から帳票画像を読み取る。帳票読取装置１００は、帳票画像から文字認識を行い、文字認識に基づいてネットワーク１０を介してサーバ装置２００へ取引実績の検索依頼をする。サーバ装置２００は、取引実績の検索依頼を受信し、検索した結果を帳票読取装置１００へ送信する。帳票読取装置１００は、検索した結果を受信し表示する。オペレータは、検索結果を帳票読取装置１００で確認し、問題なければ帳票に記載された取引を実行する。
【００２６】
次に、第２の実施形態の帳票読取装置のハードウェア構成について図３を用いて説明する。図３は、第２の実施形態の帳票読取装置のハードウェア構成の一例を示す図である。
帳票読取装置１００は、制御部１１０を含む。制御部１１０は、プロセッサ１１１、ＲＡＭ（Random Access Memory）１１２、ＨＤＤ（Hard Disk Drive）１１３、入出力信号インタフェース１１４、記憶媒体インタフェース１１５、通信インタフェース１１６を含む。帳票読取装置１００は、プロセッサ１１１によって装置全体が制御されている。プロセッサ１１１には、バス１１７を介してＲＡＭ１１２と複数の周辺機器が接続されている。プロセッサ１１１は、マルチプロセッサであってもよい。プロセッサ１１１は、たとえば、ＣＰＵ（Central Processing Unit）、ＭＰＵ（Micro Processing Unit）、ＤＳＰ（Digital Signal Processor）、ＡＳＩＣ（Application Specific Integrated Circuit）、又はＰＬＤ（Programmable Logic Device）である。また、プロセッサ１１１は、ＣＰＵ、ＭＰＵ、ＤＳＰ、ＡＳＩＣ、ＰＬＤのうちの２以上の要素の組み合わせであってもよい。
【００２７】
ＲＡＭ１１２は、帳票読取装置１００の主記憶装置として使用される。ＲＡＭ１１２には、プロセッサ１１１に実行させるＯＳのプログラムやアプリケーションプログラムの少なくとも一部が一時的に格納される。また、ＲＡＭ１１２には、プロセッサ１１１による処理に必要な各種データが格納される。
【００２８】
バス１１７に接続されている周辺機器としては、ＨＤＤ１１３、入出力信号インタフェース１１４、記憶媒体インタフェース１１５および通信インタフェース１１６がある。
ＨＤＤ１１３は、内蔵したディスクに対して、磁気的にデータの書き込みおよび読出しを行う。ＨＤＤ１１３は、帳票読取装置１００の補助記憶装置として使用される。ＨＤＤ１１３には、ＯＳのプログラム、アプリケーションプログラム、および各種データが格納される。なお、補助記憶装置としては、フラッシュメモリ等の半導体記憶装置を使用することもできる。
【００２９】
入出力信号インタフェース１１４には、入力デバイスや出力デバイスが接続されている。入力デバイスの一例として、キーボード１１９や、マウス１２０や、イメージスキャナ１２１や、タッチパネル等がある。また、出力デバイスの一例には、モニタ１１８や、液晶表示や、各種パネル表示装置等がある。
【００３０】
入出力信号インタフェース１１４は、キーボード１１９やマウス１２０などから送られてくる信号をプロセッサ１１１に送信する。なお、マウス１２０は、ポインティングデバイスの一例であり、他のポインティングデバイスを使用することもできる。他のポインティングデバイスとしては、タッチパネル、タブレット、タッチパッド、トラックボール等がある。
【００３１】
出力デバイスは、プロセッサ１１１からの命令に従って、画像をモニタ画面に表示させる。モニタ１１８としては、ＣＲＴ（Cathode Ray Tube）を用いた表示装置や液晶表示装置等がある。
【００３２】
記憶媒体インタフェース１１５は、磁気やレーザ等を利用して記憶媒体１２２に記録されたデータの読み取りや書き込みを行う。また、記憶媒体インタフェース１１５は、半導体メモリ等の記憶媒体に記録されたデータの読み取りを行うものであってもよい。記憶媒体１２２とは、たとえば、光ディスクや、フラッシュメモリ等の半導体メモリ等を含む。光ディスクは、光の反射によって読み取り可能なようにデータが記録された可搬型の記録媒体である。光ディスクには、ＤＶＤ（Digital Versatile Disk）、ＤＶＤ−ＲＡＭ、ＣＤ−ＲＯＭ（Compact Disc − Read Only Memory）、ＣＤ−Ｒ（Recordable）／ＲＷ（ReWritable）等がある。
【００３３】
記憶媒体インタフェース１１５は、帳票読取装置１００に周辺機器を接続するための通信インタフェースとしても用いることができる。たとえば、記憶媒体インタフェース１１５には、メモリ装置やメモリリーダライタを接続することができる。メモリ装置は、記憶媒体インタフェース１１５との通信機能を搭載した記録媒体である。メモリリーダライタは、メモリカードへのデータの書き込み、又はメモリカードからのデータの読出しを行う装置である。メモリカードは、カード型の記録媒体である。
【００３４】
通信インタフェース１１６は、ネットワーク１０に接続されている。通信インタフェース１１６は、ネットワーク１０を介して、他のコンピュータ又は通信機器との間でデータの送受信を行う。なお、ネットワーク１０は、有線ネットワークでもよいし、無線ネットワークでもよい。
【００３５】
以上のようなハードウェア構成によって、第２の実施形態の帳票読取装置１００の処理機能を実現することができる。なお、第１の実施形態に示した帳票読取装置１も、図３に示した帳票読取装置１００と同様のハードウェア構成によって実現できる。なお、サーバ装置２００も図２に示した帳票読取装置１００と同様のハードウェア構成によって実現できる。
【００３６】
帳票読取装置１００は、たとえばコンピュータ読み取り可能な記録媒体に記録されたプログラムを実行することにより、第２の実施形態の処理機能を実現する。帳票読取装置１００に実行させる処理内容を記述したプログラムは、様々な記録媒体に記録しておくことができる。たとえば、帳票読取装置１００に実行させるプログラムをＨＤＤ１１３に格納しておくことができる。プロセッサ１１１は、ＨＤＤ１１３内のプログラムの少なくとも一部をＲＡＭ１１２にロードし、プログラムを実行する。また、帳票読取装置１００に実行させるプログラムを、光ディスク、メモリ装置、メモリカード等の可搬型記録媒体に記録しておくこともできる。可搬型記録媒体に格納されたプログラムは、たとえばプロセッサ１１１からの制御により、ＨＤＤ１１３にインストールされた後、実行可能となる。またプロセッサ１１１が、可搬型記録媒体から直接プログラムを読出して実行することもできる。
【００３７】
次に、帳票について図４を用いて説明する。図４は、第２の実施形態の帳票の一例を示す図である。
帳票４００は、金融機関等において振込に用いられる帳票の一例である。帳票４００は、文字が印字された印字部分４０１，４１０と、項目と当該項目に対応する記入欄とが対応付けられた項目欄４０２，４０３，４０４，４０５，４０６，４０７，４０８，４０９，４１１とを含む。ここでは、帳票４００を用いて、甲野乙太郎がＣ大学に入学金３５万円を振り込む場合の帳票について説明する。
【００３８】
印字部分４０１は、帳票４００が振込を依頼する帳票であることを表示した部分である。項目欄４０２は、振込依頼日を記入する欄である。項目欄４０２に、依頼日として「平成２７年３月２日」が記入された例を示す。項目欄４０３は、振込先金融機関を記入する欄である。項目欄４０３に、金融機関名として「Ａ銀行Ｂ支店」が記入された例を示す。項目欄４０４は、振込先の口座種別を記入する欄である。項目欄４０４に、口座種別として「普通」が記入された例を示す。項目欄４０５は、振込先の口座番号を記入する欄である。項目欄４０５に、口座番号として「１２３４５６」が記入された例を示す。項目欄４０６は、振込先の口座名を記入する欄である。項目欄４０６に、振込先の口座名のフリガナに「シーダイガク」、口座名に「Ｃ大学」が記入された例を示す。
【００３９】
項目欄４０７は、整理番号（受験番号）を記入する欄である。項目欄４０７に、受験番号として「１１１１」が記入された例を示す。なお、帳票４００は、入学金を振り込む帳票の一例であるため、入学金の納付者を識別できるよう、整理番号として受験番号を記入する帳票となっている。項目欄４０８は、振込依頼人の氏名を記入する欄である。項目欄４０８に、振込依頼人の氏名のフリガナ（振込依頼人名フリガナ）に「コウノ  オツタロウ」、氏名に「甲野  乙太郎」が記入された例を示す。項目欄４０９は、振込金額を記入する欄である。項目欄４０９に、振込金額として「￥３５００００」が記入された例を示す。印字部分４１０は、振込手続を処理する銀行名が「Ｄ銀行」であることを示す部分である。項目欄４１１は、振込手続を取り扱う銀行の支店番号を記入する欄である。項目欄４１１に、支店番号として「８８８」が記入された例を示す。
【００４０】
帳票４００は、印字部分の文字や項目欄の項目および記入された内容について、帳票読取装置１００によって文字認識される。
次に、取引実績テーブルについて図５を用いて説明する。図５は、第２の実施形態の取引実績テーブルの一例を示す図である。
【００４１】
取引実績テーブル５００は、取引の実績に関する履歴情報を記憶したテーブルである。ここでは、取引実績テーブル５００に、振込の実績の履歴情報が記憶された例を示す。取引実績テーブル５００は、サーバ装置２００がアクセス可能なデータベースに記憶されてもよいし、サーバ装置２００のＨＤＤ１１３に記憶されてもよい。
【００４２】
取引実績テーブル５００は、振込依頼人名フリガナと、帳票種別と、振込先店番と、振込先口座番号と、振込金額と、取引日付とを含む。振込依頼人名フリガナは、帳票に記入された依頼人名に付されたフリガナである。帳票種別は、帳票の種別を識別するための識別情報である。帳票種別については、後で図６を用いて説明する。
【００４３】
振込先店番は、振込先金融機関の本店又は支店を識別する番号（店番）である。振込先口座番号は、振込先の口座を特定する番号である。振込金額は、振込先の口座へ振り込まれる金額である。取引日付は、振込処理がされた年月日である。
【００４４】
なお、これらの情報は、取引実績テーブル５００に記憶される情報の一例であり、振込先の金融機関名、振込先口座名、振込先口座種別、振込依頼元口座番号などを含めてもよい。
【００４５】
次に、帳票見出しテーブルについて図６を用いて説明する。図６は、第２の実施形態の帳票見出しテーブルの一例を示す図である。
帳票見出しテーブル５１０は、帳票から文字認識して取得した見出し（振込に関する用語）と、帳票を識別するための帳票種別とを対応づけた情報である。帳票見出しテーブル５１０は、振込に関する用語が定義された定義情報であり、帳票種別を決定するために参照される情報である。帳票見出しテーブル５１０は、予め帳票読取装置１００のＨＤＤ１１３等に格納してもよいし、システム管理者が入力するものであってもよい。
【００４６】
見出しとは、帳票の表記内容のうち帳票を識別するために用いられる文字（用語）であり、言い換えると、帳票画像を文字認識して取得した文字のうち帳票を識別するために用いられる文字である。帳票画像を文字認識して取得する文字には、印字部分を認識した文字と、項目欄の項目を認識した文字と、項目欄の記入内容を認識した文字とを含む。なお、見出しには、文字だけでなく数字や記号や図形等を含んでもよい。見出しには、第１見出しと第２見出しとを含む。第１見出しだけでは帳票の区別ができない場合、第１見出しとは異なる第２見出しで帳票を区別する。なお、帳票見出しテーブル５１０は、第１見出しと第２見出しを含むが、これらは一例であり、他の見出しを含んでもよい。
【００４７】
帳票種別とは、帳票を識別するための符号である。なお、帳票見出しテーブル５１０は、帳票種別「１」，「２」，「３」の３種類を含むが、これらは一例であり、他の帳票種別を含んでもよい。
【００４８】
帳票種別「１」の帳票は、年間を通じて定期的に特定口座に対する振り込みを識別するための用語が含まれる帳票である。たとえば、帳票の見出しに「振込依頼書」を含み、かつ、帳票種別「２」および「３」以外の帳票などである。帳票種別「１」の帳票が用いられる処理として、家賃や固定電話料金などの振込処理がある。家賃や固定電話などの振込処理は、特定の振込先に対して、毎月同額、特定の振込人から振込がされることが想定される振込処理である。また、家賃や固定電話に限らず、所定の物品を定期購買するために用いる帳票なども含まれる。
【００４９】
帳票種別「２」の帳票は、特定の振込先に対して、所定の期間において複数の振込人から同額の振込がされると想定される場合に用いられる帳票である。言い換えると、帳票種別「２」の帳票は、不特定多数の振込人から特定口座に対し所定の振込金額の振り込みを識別するための用語が含まれる帳票である。たとえば、帳票種別「２」の帳票が用いられる処理として、学校の入学金の振込処理や、自動車税の振込処理などがある。学校の入学金の振込処理は、同一の振込先（学校の入学金振込口座）に対して、所定の期間（入学手続き期間）において複数の振込人（入学手続きをする者）から、同一金額の振込処理となると想定される振込処理である。また、自動車税納付の振込処理は、同一の振込先（公共機関等の振込口座）に対して、所定の期間（納税期間）において複数の振込人（同一用途や同一排気量の自動車所有者）から、同一金額の振込処理となると想定される振込処理である。
【００５０】
帳票種別「３」の帳票は、特定の振込先に対して、定期的に特定の振込人が時期に応じて変動する金額で振込がされると想定される場合に用いられる帳票である。言い換えると、帳票種別「３」の帳票は、特定口座に対し時期に依存する振込金額の振り込みを識別するための用語が含まれている帳票である。たとえば、帳票種別「３」の帳票が用いられる振込処理として、電気料金等の振込処理がある。電気料金、ガス料金、水道料金などの振込処理は、個人毎に金額が異なり季節に応じて金額が変動する場合が多いが、前年同月の振込料金と比較すると同一桁数の振込金額になると想定される振込処理である。また、市民税などの振込処理も、納付者毎に金額が異なるが、納付者の所得に大幅な変動が無い場合、前年納付期間の納付者自身の納付金額と比較すると同一桁数の振込金額になると想定される振込処理である。
【００５１】
次に、第２の実施形態の帳票読取処理について図７を用いて説明する。図７は、第２の実施形態の帳票読取処理のフローチャートを示す図である。
帳票読取処理は、帳票読取装置１００が帳票を読み取り、帳票に記載された金額の桁数を取引実績に基づいてチェックし、チェックした結果を表示し、帳票認識結果をサーバ装置２００に送信する処理である。帳票読取処理は、帳票読取装置１００の制御部１１０（プロセッサ１１１）が実行する処理である。
【００５２】
［ステップＳ１１］制御部１１０は、帳票をスキャンし、帳票画像を読み取る。
［ステップＳ１２］制御部１１０は、帳票画像について、画像認識および文字認識する。具体的には、制御部１１０は、帳票画像から罫線を抽出し、抽出した罫線に基づき帳票の文字や金額を認識する。また、制御部１１０は、認識した文字から帳票の見出しを抽出する。
【００５３】
［ステップＳ１３］制御部１１０は、取引実績突合処理を実行する。取引実績突合処理は、サーバ装置２００から取得した取引実績に基づく振込金額の桁数と帳票に記載された振込金額の桁数とを突合し、帳票の桁数をチェックする処理である。取引実績突合処理は、図９を用いて後で説明する。
【００５４】
［ステップＳ１４］制御部１１０は、取引実績突合処理の結果について「取引実績無し」か否かを判定する。制御部１１０は、取引実績突合処理の結果が「取引実績無し」の場合にステップＳ１５にすすみ、結果が「取引実績無し」以外の場合にステップＳ１７にすすむ。
【００５５】
［ステップＳ１５］制御部１１０は、オペレータから帳票の目視チェック結果を受け付ける。たとえば、制御部１１０は、目視チェックの結果をキーボード１１９やマウス１２０から受け付ける。なお、制御部１１０は、オペレータから帳票の目視チェック結果を受け付けるに際し、モニタ１１８に「帳票の見出し検索の結果、該当無し。帳票を目視チェックした結果を入力して下さい。」と表示するとともに、金額等の入力を受け付ける画面を表示してもよい。
【００５６】
［ステップＳ１６］制御部１１０は、ステップＳ１５で受け付けた目視チェック結果をサーバ装置２００に送信し、処理を終了する。
［ステップＳ１７］制御部１１０は、取引実績突合処理の結果に基づき、帳票に記載された振込金額の桁数のチェック結果をモニタ１１８に表示する。モニタ１１８の表示例については、図８を用いて後で説明する。
【００５７】
［ステップＳ１８］制御部１１０は、取引実績突合処理結果に基づき、帳票に記載された振込金額の桁数と取引実績に基づく振込金額の桁数との差異が有るか否かを判定する。制御部１１０は、桁数の差異が無い場合にステップＳ１９にすすみ、桁数の差異が有る場合にステップＳ２１にすすむ。
【００５８】
［ステップＳ１９］制御部１１０は、帳票を認識して取得した金額を承認する入力を受け付ける。たとえば、制御部１１０は、金額を承認する入力をキーボード１１９やマウス１２０から受け付ける。
【００５９】
［ステップＳ２０］制御部１１０は、ステップＳ１９で承認した金額をサーバ装置２００に送信し処理を終了する。
［ステップＳ２１］制御部１１０は、帳票を認識して取得した金額を修正する入力を受け付ける。たとえば、制御部１１０は、修正した金額をキーボード１１９やマウス１２０等から受け付ける。
【００６０】
［ステップＳ２２］制御部１１０は、ステップＳ２１で受け付け修正した金額をサーバ装置２００に送信し、処理を終了する。
次に、第２の実施形態の帳票桁数突合結果画面について図８を用いて説明する。図８は、第２の実施形態の帳票桁数突合結果画面の一例を示す図である。
【００６１】
帳票桁数突合結果画面６００は、帳票読取処理のステップＳ１７でモニタ１１８に表示される画面の一例である。帳票桁数突合結果画面６００によって、オペレータは、帳票から認識した振込金額と取引実績突合処理の結果とを確認できる。帳票桁数突合結果画面６００は、表示６０１，６０２，６０３，６０４，６０５，６０６を含む。
【００６２】
表示６０１は、帳票から認識した振込先金融機関名（フリガナ）と口座種別と口座番号を含む表示である。表示６０２は、帳票から認識した振込先口座名を含む。表示６０３は、帳票から認識した依頼人の名前（フリガナ）を含む表示である。表示６０４は、帳票から認識した振込金額を含む表示である。表示６０５は、取引実績突合処理の結果に基づく表示である。たとえば、表示６０５は、「取引実績との突合結果、振込金額の桁数が異なっている可能性があります。確認して下さい。」という表示である。表示６０５は、取引実績突合処理の結果に基づく振込金額の桁数の確認表示とともに、オペレータに対する注意を促す表示を含む表示である。
【００６３】
表示６０６は、取引実績突合処理において、取引実績テーブル５００を検索した検索条件と検索結果を含む表示である。たとえば、表示６０６は、「同一振込先、見出し［受験番号］の最多振込実績は［３５００００円］です。」という表示である。取引実績テーブル５００を検索した検索条件と検索結果は、帳票の振込金額の妥当性についての判断の指標となる。帳票桁数突合結果画面６００によって、オペレータは、読み取った帳票の振込金額について桁数が妥当か否かを確認できる。なお、これらの表示６０１〜６０６は一例に過ぎず、全てを画面に表示することを要しない。
【００６４】
帳票桁数突合結果画面６００は、選択可能な処理に対応するボタン６０７，６０８を含む。帳票桁数突合結果画面６００の例では、画像確認のためのボタン６０７、金額修正のためのボタン６０８の各ボタンが表示される。帳票読取装置１００は、入出力信号インタフェース１１４を介してボタンが押下されたことを検出し、各ボタンに対応する処理をする。たとえば、画像確認のためのボタン６０７が押下された場合、帳票読取装置１００は、帳票画像をモニタ１１８に表示する。また、金額修正のためのボタン６０８が押下された場合、帳票読取装置１００は、修正する金額を入力する画面をモニタ１１８に表示する。
【００６５】
次に、第２の実施形態の取引実績突合処理について図９を用いて説明する。図９は、第２の実施形態の取引実績突合処理のフローチャートを示す図である。
取引実績突合処理は、取引実績に基づく振込金額の桁数と帳票に記載された振込金額の桁数とを突合し、帳票の桁数をチェックする処理である。取引実績突合処理は、帳票読取処理のステップＳ１３で、帳票読取装置１００の制御部１１０（プロセッサ１１１）が実行する処理である。
【００６６】
［ステップＳ３１］制御部１１０は、ステップＳ１２で認識した文字が帳票見出しテーブル５１０に含まれる見出しに該当するか否かを判定する。制御部１１０は、認識した文字が帳票見出しテーブル５１０に含まれる見出しに該当する場合はステップＳ３２にすすみ、認識した文字が見出しに該当しない場合はステップＳ１５にすすむ。
【００６７】
［ステップＳ３２］制御部１１０は、帳票の見出しに基づき、帳票種別を判定する。制御部１１０は、帳票種別「１」である場合はステップＳ３３にすすみ、帳票種別「２」である場合はステップＳ３４にすすみ、帳票種別「３」である場合はステップＳ３５にすすむ。
【００６８】
［ステップＳ３３］制御部１１０は、第１突合処理を実行し、処理を終了する。第１突合処理は、帳票種別「１」と判定された帳票に記載された金額と取引実績に基づく金額とを突合し、金額の桁数をチェックする処理である。第１突合処理は、図１０を用いて後で説明する。
【００６９】
［ステップＳ３４］制御部１１０は、第２突合処理を実行し、処理を終了する。第２突合処理は、帳票種別「２」と判定された帳票に記載された金額と取引実績に基づく金額とを突合し、金額の桁数をチェックする処理である。第２突合処理は、図１１を用いて後で説明する。
【００７０】
［ステップＳ３５］制御部１１０は、第３突合処理を実行し、処理を終了する。第３突合処理は、帳票種別「３」と判定された帳票に記載された金額と取引実績に基づく金額とを突合し、金額の桁数をチェックする処理である。第３突合処理は、図１２を用いて後で説明する。
【００７１】
次に、第２の実施形態の第１突合処理について図１０を用いて説明する。図１０は、第２の実施形態の第１突合処理のフローチャートを示す図である。
第１突合処理は、帳票種別「１」と判定された帳票に記載された金額と取引実績に基づく金額とを突合し、金額をチェックする処理である。第１突合処理は、取引実績突合処理のステップＳ３３で、帳票読取装置１００の制御部１１０（プロセッサ１１１）が実行する処理である。
【００７２】
［ステップＳ４１］制御部１１０は、振込依頼人の取引実績について、第１検索条件でサーバ装置２００に取引実績テーブル５００を検索する要求を送信する。第１検索条件とは、帳票種別「１」の帳票について、取引実績テーブル５００を検索する条件である。たとえば、第１検索条件は、帳票種別「１」、帳票画像から認識した振込依頼人名フリガナおよび振込先口座番号、帳票に記載された取引日付に基づく期日条件（たとえば、取引日付から前１年間）を含む情報である。なお、これらは第１検索条件に含まれる検索キーワードの一例であり、振込先店番などを含んでもよい。
【００７３】
［ステップＳ４２］制御部１１０は、サーバ装置２００から第１検索条件で検索した結果を受信する。
［ステップＳ４３］制御部１１０は、ステップＳ４２で受信した検索結果において、第１検索条件に合致する取引実績が取引実績テーブル５００に有るか否かを判定する。制御部１１０は、第１検索条件に合致する取引実績が無い場合にステップＳ４４にすすみ、取引実績が有る場合にステップＳ４５にすすむ。
【００７４】
［ステップＳ４４］制御部１１０は、「取引実績無し」を第１突合処理の結果とする。
［ステップＳ４５］制御部１１０は、ステップＳ４２で受信した検索結果から、最多の取引実績を抽出し、最多取引実績の振込金額の桁数を特定する。言い換えると、制御部１１０は、同一振込依頼人名で同一振込先口座番号等（第１検索条件）における過去の取引について、最も振込件数の多い振込金額および桁数を特定できる。たとえば、制御部１１０は、家賃や固定電話料金など、過去一年間（第１検索条件に含まれる期日条件）において、同一振込依頼人名で同一振込先口座番号に振り込まれた金額と桁数を特定できる。なお、家賃や固定電話料金は振込処理の一例に過ぎず、同一振込人から同一振込先口座番号に対して複数回に亘って振込を行う処理であればよい。
【００７５】
なお、検索結果から最多の取引実績を抽出し、最多取引実績の振込金額の桁数を特定する処理は、サーバ装置２００で実行してもよい。サーバ装置２００で最多取引実績の振込金額の桁数を特定する場合、帳票読取装置１００は、最多取引実績の振込金額の桁数をサーバ装置２００から受信する。
【００７６】
［ステップＳ４６］制御部１１０は、帳票画像を認識した振込金額の桁数と、ステップＳ４５で特定した桁数とを突合する。言い換えると、帳票に記入された振込金額の桁数と、ステップＳ４５で特定した取引実績に基づく桁数とを比較する。
【００７７】
［ステップＳ４７］制御部１１０は、ステップＳ４６の突合結果、桁数に差異が有るか否かを判定する。制御部１１０は、桁数に差異が有る場合にステップＳ４８にすすみ、桁数に差異が無い場合にステップＳ４９に進む。
【００７８】
なお、桁数に差異が有るか否かの判定条件は、判定条件の一例であり、最多の取引実績の振込金額から所定の閾値の範囲内の金額であるか否かを判定条件としてもよい。
［ステップＳ４８］制御部１１０は、「桁数の差異」が存在する旨とステップＳ４５で特定した最多取引実績の金額と桁数とを第１突合処理の結果とする。
【００７９】
［ステップＳ４９］制御部１１０は、「桁数が合致」する旨を第１突合処理の結果とする。
次に、第２の実施形態の第２突合処理について図１１を用いて説明する。図１１は、第２の実施形態の第２突合処理のフローチャートを示す図である。
【００８０】
第２突合処理は、帳票種別「２」と判定された帳票に記載された金額と取引実績に基づく金額とを突合し、金額をチェックする処理である。第２突合処理は、取引実績突合処理のステップＳ３４で、帳票読取装置１００の制御部１１０（プロセッサ１１１）が実行する処理である。
【００８１】
［ステップＳ５１］制御部１１０は、振込依頼人以外の取引実績について、第２検索条件でサーバ装置２００に取引実績テーブル５００を検索する要求を送信する。第２検索条件とは、帳票種別「２」の帳票について、取引実績テーブル５００を検索する条件である。たとえば、第２検索条件は、帳票種別「２」、帳票画像から認識した振込先口座番号、帳票に記載された取引日付に基づく期日条件（たとえば、取引日付から前３カ月）を含む情報である。なお、第２検索条件に含まれる期日条件は、前３カ月に限らず、帳票の見出しや検索キーワードに応じて設定できる。たとえば、帳票の見出しに「入学金」が含まれる場合、本年の入学金振込期間を期日条件に設定できる。なお、これらは第２検索条件に含まれる検索キーワードの一例であり、振込先店番などを含んでもよい。
【００８２】
［ステップＳ５２］制御部１１０は、サーバ装置２００から第２検索条件で検索した結果を受信する。
［ステップＳ５３］制御部１１０は、ステップＳ５２で受信した検索結果において、第２検索条件に合致する取引実績が取引実績テーブル５００に有るか否かを判定する。制御部１１０は、第２検索条件に合致する取引実績が無い場合にステップＳ５４にすすみ、取引実績が有る場合にステップＳ５５にすすむ。
【００８３】
［ステップＳ５４］制御部１１０は、「取引実績無し」を第２突合処理の結果とする。
［ステップＳ５５］制御部１１０は、ステップＳ５２で受信した検索結果から、最多の取引実績を抽出し、最多取引実績の振込金額の桁数を特定する。言い換えると、制御部１１０は、振込依頼人以外の取引実績において、同一振込先口座番号等（第２検索条件）における過去の取引について、最も振込件数の多い振込金額および桁数を特定できる。たとえば、制御部１１０は、入学金や授業料など、過去１カ月間（第２検索条件に含まれる期日条件）において、振込依頼人以外（他人）の取引で同一振込先口座番号に振り込まれた金額と桁数を特定できる。なお、入学金や授業料は振込処理の一例に過ぎず、複数の振込人から同一振込先口座番号に対して所定の時期に振込を行う処理であればよい。
【００８４】
なお、検索結果から最多の取引実績を抽出し、最多取引実績の振込金額の桁数を特定する処理は、サーバ装置２００で実行してもよい。サーバ装置２００で最多取引実績の振込金額の桁数を特定する場合、帳票読取装置１００は、最多取引実績の振込金額の桁数をサーバ装置２００から受信する。
【００８５】
［ステップＳ５６］制御部１１０は、帳票画像を認識した振込金額の桁数と、ステップＳ５５で特定した桁数とを突合する。言い換えると、帳票に記入された振込金額の桁数と、ステップＳ５５で特定した取引実績に基づく桁数とを比較する。
【００８６】
［ステップＳ５７］制御部１１０は、ステップＳ５６の突合結果、桁数に差異が有るか否かを判定する。制御部１１０は、桁数に差異が有る場合にステップＳ５８にすすみ、桁数に差異が無い場合にステップＳ５９に進む。
【００８７】
［ステップＳ５８］制御部１１０は、「桁数の差異」が存在する旨とステップＳ５５で特定した最多取引実績の金額と桁数とを第２突合処理の結果とする。
［ステップＳ５９］制御部１１０は、「桁数が合致」する旨を第２突合処理の結果とする。
【００８８】
次に、第２の実施形態の第３突合処理について図１２を用いて説明する。図１２は、第２の実施形態の第３突合処理のフローチャートを示す図である。
第３突合処理は、帳票種別「３」と判定された帳票に記載された金額と取引実績に基づく金額とを突合し、金額をチェックする処理である。第３突合処理は、取引実績突合処理のステップＳ３５で、帳票読取装置１００の制御部１１０（プロセッサ１１１）が実行する処理である。
【００８９】
［ステップＳ６１］制御部１１０は、振込依頼人の取引実績について、第３検索条件でサーバ装置２００に取引実績テーブル５００を検索する要求を送信する。第３検索条件とは、帳票種別「３」の帳票について、取引実績テーブル５００を検索する条件である。たとえば、第３検索条件は、帳票種別「３」、帳票画像から認識した振込依頼人名フリガナおよび振込先口座番号、帳票に記載された取引日付に基づく期日条件（たとえば、取引日付の前年同月）を含む情報である。なお、第３検索条件に含まれる期日条件は、前年同月に限らず、帳票の見出しや検索キーワードに応じて設定してもよいし、前月や偶数月や奇数月を設定してもよい。たとえば、帳票の見出しに「税」が含まれる場合、前年の税金の振込期間を期日条件に設定できる。
【００９０】
なお、これらは第３検索条件に含まれる検索キーワードの一例であり、振込先店番などを含んでもよい。
［ステップＳ６２］制御部１１０は、サーバ装置２００から第３検索条件で検索した結果を受信する。
【００９１】
［ステップＳ６３］制御部１１０は、ステップＳ６２で受信した検索結果において、第３検索条件に合致する取引実績が取引実績テーブル５００に有るか否かを判定する。制御部１１０は、第３検索条件に合致する取引実績が無い場合にステップＳ６４にすすみ、取引実績が有る場合にステップＳ６５にすすむ。
【００９２】
［ステップＳ６４］制御部１１０は、「取引実績無し」を第３突合処理の結果とする。
［ステップＳ６５］制御部１１０は、ステップＳ６２で受信した検索結果から、最多の取引実績を抽出し、最多取引実績の振込金額の桁数を特定する。言い換えると、制御部１１０は、同一振込依頼人名で同一振込先口座番号等（第３検索条件）における過去の取引について、最も振込件数の多い振込金額および桁数を特定できる。たとえば、制御部１１０は、水道料金や電気料金など、前年同月（第３検索条件に含まれる期日条件）において、同一振込依頼人の取引で同一振込先口座番号に振り込まれた金額の桁数を特定できる。なお、水道料金や電気料金は振込処理の一例に過ぎず、同一の振込人から同一振込先口座番号に対して、時期的に金額変動を伴う料金の振込を行う処理であればよい。
【００９３】
なお、検索結果から最多の取引実績を抽出し、最多取引実績の振込金額の桁数を特定する処理は、サーバ装置２００で実行してもよい。サーバ装置２００で最多取引実績の振込金額の桁数を特定する場合、帳票読取装置１００は、最多取引実績の振込金額の桁数をサーバ装置２００から受信する。
【００９４】
［ステップＳ６６］制御部１１０は、帳票画像を認識した振込金額の桁数と、ステップＳ６５で特定した桁数とを突合する。言い換えると、帳票に記入された振込金額の桁数と、ステップＳ６５で特定した取引実績に基づく桁数とを比較する。
【００９５】
［ステップＳ６７］制御部１１０は、ステップＳ６６の突合結果、桁数に差異が有るか否かを判定する。制御部１１０は、桁数に差異が有る場合にステップＳ６８にすすみ、桁数に差異が無い場合にステップＳ６９に進む。
【００９６】
なお、桁数に差異が有るか否かの判定条件は、判定条件の一例であり、最多の取引実績の振込金額から所定の閾値の範囲内の金額であるか否かを判定条件としてもよい。
［ステップＳ６８］制御部１１０は、「桁数の差異」が存在する旨とステップＳ６５で特定した最多取引実績の金額の桁数とを第３突合処理の結果とする。
【００９７】
［ステップＳ６９］制御部１１０は、「桁数が合致」する旨を第３突合処理の結果とする。
次に、第２の実施形態のサーバ処理について図１３を用いて説明する。図１３は、第２の実施形態のサーバ処理のフローチャートを示す図である。
【００９８】
サーバ処理は、サーバ装置２００が帳票読取装置１００から受信した検索条件に基づいて取引実績テーブル５００を検索し検索結果を送信するとともに、帳票処理について取引実績テーブル５００に格納する処理である。サーバ処理は、サーバ装置２００の制御部１１０（プロセッサ１１１）が実行する処理である。
【００９９】
［ステップＳ７１］サーバ装置２００は、帳票読取装置１００から第１検索条件、第２検索条件、第３検索条件のいずれかを含む検索要求を受信する。
［ステップＳ７２］サーバ装置２００は、受信した検索条件に応じて取引実績テーブル５００を検索する。
【０１００】
［ステップＳ７３］サーバ装置２００は、帳票読取装置１００に検索結果を送信する。なお、検索結果から最多の取引実績を抽出し、最多取引実績の振込金額の桁数を特定する処理を、サーバ装置２００で実行してもよい。サーバ装置２００で最多取引実績の振込金額の桁数を特定する場合、サーバ装置２００は、最多取引実績の振込金額の桁数を帳票読取装置１００に送信する。
【０１０１】
なお、サーバ装置２００は、検索条件と検索結果と検索結果から特定した最多取引実績の振込金額および桁数とを対応づけて、桁数管理テーブルに蓄積してもよい。サーバ装置２００は、過去に検索された検索条件と同一の検索要求に対し、桁数管理テーブルに蓄積された振込金額および桁数を検索要求に対する応答として送信してもよい。また、サーバ装置２００は、桁数管理テーブルを帳票読取装置１００に配信し、帳票読取装置１００において桁数管理テーブルを用いて桁数等をチェックしてもよい。このように、桁数管理テーブルに検索結果等を蓄積することで、サーバ装置２００は、過去に検索された検索条件と同一の検索要求について検索実行を省略し、負荷を軽減できる。
【０１０２】
［ステップＳ７４］サーバ装置２００は、帳票読取装置１００から帳票のチェック結果又は認識結果を受信する。
［ステップＳ７５］サーバ装置２００は、受信した結果に基づいて、振込人フリガナ、帳票種別、振込先口座番号、振込金額、取引日付等を取引実績テーブル５００に格納する。
【０１０３】
こうして、帳票読取装置１００は、帳票の文字認識に誤りが生じた場合であっても、取引実績に基づいて、振込金額および桁数をチェックし、オペレータに確認を促すことができる。帳票読取装置１００が取引実績に基づいて帳票をチェックすることにより、帳票をチェックするオペレータの目視チェックによる負担が軽減される。また、帳票読取装置１００が、帳票桁数突合結果を画面に表示し、文字認識の結果の修正を入力する際に桁数の違いを注意喚起することで、オペレータによる入力ミスや見逃しを軽減できる。
【０１０４】
このようにして、帳票読取装置１００は、帳票のチェックに要するオペレータの負担を軽減できる。また、帳票読取装置１００は、帳票桁数突合結果を表示することにより、帳票のチェックをするオペレータの利便性を向上できる。
【０１０５】
なお、上記の処理機能は、コンピュータによって実現することができる。その場合、帳票読取装置１、帳票読取装置１００、サーバ装置２００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ハードディスク装置（ＨＤＤ）、フレキシブルディスク（ＦＤ：Flexible Disk）、磁気テープ等がある。光ディスクには、ＤＶＤ、ＤＶＤ−ＲＡＭ、ＣＤ−ＲＯＭ／ＲＷ等がある。光磁気記録媒体には、ＭＯ（Magneto-Optical disk）等がある。
【０１０６】
プログラムを流通させる場合には、たとえば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１０７】
プログラムを実行するコンピュータは、たとえば、可搬型記録媒体に記録されたプログラムもしくはサーバコンピュータから転送されたプログラムを、自己の記憶装置に格納する。コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送される毎に、逐次、受け取ったプログラムにしたがった処理を実行することもできる。
【０１０８】
また、上記の処理機能の少なくとも一部を、ＤＳＰ、ＡＳＩＣ、ＰＬＤ等の電子回路で実現することもできる。
【符号の説明】
【０１０９】
１  帳票読取装置
２  読取部
３  制御部
４  表示部
１０  ネットワーク
１００  帳票読取装置
１１０  制御部
１１１  プロセッサ
１１２  ＲＡＭ
１１３  ＨＤＤ
１１４  入出力信号インタフェース
１１５  記憶媒体インタフェース
１１６  通信インタフェース
１１７  バス
１１８  モニタ
１１９  キーボード
１２０  マウス
１２１  イメージスキャナ
１２２  記憶媒体
２００  サーバ装置
３００  帳票読取システム
【図１】
0006506652.tif 000002
【図２】
0006506652.tif 000003
【図３】
0006506652.tif 000004
【図４】
0006506652.tif 000005
【図５】
0006506652.tif 000006
【図６】
0006506652.tif 000007
【図７】
0006506652.tif 000008
【図８】
0006506652.tif 000009
【図９】
0006506652.tif 000010
【図１０】
0006506652.tif 000011
【図１１】
0006506652.tif 000012
【図１２】
0006506652.tif 000013
【図１３】
0006506652.tif 000014